(57)【要約】【課題】  複数の音響源を備えて、複数の音響源から選択的に音響を再生する際、ユーザが極めて簡単に音量調整（ゲイン調整）を行うことができるようにする。【解決手段】  オーディオ装置１０は互いに異なる音響信号を出力する複数の音響源１２ａ〜１２ｃを有しており、係数器１５ｄによって音響源から出力される音響信号の利得が調整される。不揮発性メモリ１５ｉには音響源に対応して係数器に設定する利得が内部ゲインとして保存されており、スイッチ切替部１７によって音響源の一つが選択されると、ＣＰＵ１５ｈは選択された音響源に対応する内部ゲインを不揮発性メモリから読み出して係数器に設定する。【選択図】        図１
2006074598.tif 000002
【特許請求の範囲】
【請求項１】
互いに異なる音響信号を出力する複数の音響源と、
該音響源から出力される音響信号の利得を調整して出力する利得調整手段と、
前記音響源に対応して前記利得調整手段に設定する利得が内部ゲインとして保存された記憶手段と、
前記音響源の一つを選択する選択手段と、
該選択手段によって選択された音響源に対応する内部ゲインを前記記憶手段から読み出して前記利得調整手段に設定するゲイン設定手段とを備えたオーディオ装置。
【請求項２】
音響源毎に予め基準となる利得が基準利得として定められるとともに利得調整手段からの出力レベルが所望出力レベルとして定められており、前記利得調整手段からの出力レベルを検知するレベル検知手段と、
前記音響源毎に前記レベル検知手段から得られた検出出力レベルと前記基準利得及び前記所望出力レベルとに応じて内部ゲインを求めて該内部ゲインを記憶手段に保存するゲイン保存手段とを備えた請求項１記載のオーディオ装置。
【請求項３】
利得調整手段からの出力レベルを検知するレベル検知手段と、
音響源の一つが選択音響源として選択されている際、選択手段によって前記選択音響源以外の別の音響源が選択されると、前記レベル検出手段で検知された前記選択音響源に係る第１の出力レベル及び前記別の音響源に係る第２の出力レベルと前記別の音響源に対応する内部ゲインとに応じて最適内部ゲインを求める演算手段と、
前記第１及び前記第２の出力レベルの偏差が予め規定された閾値を越えた際前記最適内部ゲインを選択して、該最適内部ゲインを前記別の音響源に対応する内部ゲインの代わりとするゲイン決定手段とを備えた請求項１記載のオーディオ装置。
【請求項４】
レベル検出手段で検知された出力レベルを予め設定された時間で時間平均して第１及び第２の出力レベルとする平均化手段を備えた請求項３記載のオーディオ装置。
【請求項５】
別の音響源に対応する内部ゲインから最適内部ゲインに変更する際、前記最適内部ゲインと前記音響源に対応する内部ゲインとの差を、予め設定された数値で除算して得られた商ずつ所定の時間間隔で利得調整手段に設定して内部ゲインを徐々に前記最適内部ゲインに変化させるゲイン設定変化手段を備えた請求項３又は請求項４記載のオーディオ装置。
【発明の詳細な説明】
【技術分野】
【０００１】
この発明は複数の音響源から音響を選択的に出力するオーディオ装置に関し、特に、音響源の選択を変更する際に音量調整をスムーズに行うことのできるオーディオ装置に関するものである。
【背景技術】
【０００２】
一般に、ラジオ、カセットテープ再生装置、及びＣＤ再生装置等の複数の音響源を備えるオーディオ装置においては、ユーザは所望の音量をスピーカから得るため、音響源を選択する都度音量調整を行う必要がある。つまり、音響源に応じてその音量レベルが異なる結果、ユーザは音響源を選択する都度音量調整を行わなければならず、音量調整が煩わしいことが多い。
【０００３】
このような音量調整の煩わしさを解消するため、例えば、音量レベル記憶回路に記憶された設定音量レベルと音量レベル検出回路によって検出された音声信号の音量レベルとを比較して、これらの差分に基づいて音量調整回路を制御するようにしたものがあり、ここでは、テレビ、ラジオ等の受信装置又はＣＤ等の音響装置の音量レベルをユーザが音量調整部を用いて設定して、設定音量レベルを音量レベル記憶回路に記憶し、音量レベル検出回路で検出された音声信号の音量レベルが設定音量レベルと異なると音量調整回路を制御して、常に設定音量レベルの音声を得るようにしている（例えば、特許文献１参照）。
【０００４】
さらに、音響源を変更した際、ユーザが音量の再設定を行うことなく適切なスピーカ出力を得るため、信号レベル検出手段で入力信号の信号レベルを検出して、この信号レベルを記憶手段に記憶して、信号レベル検出手段で検出した信号レベルと記憶手段から読み出した信号レベルとを比較し、その比較結果に応じて音響源の切替前後におけるスピーカ出力が略同等となるように可変利得手段の利得を制御するようにしたものがある（例えば、特許文献２参照）。
【０００５】
【特許文献１】特開平６−３７５６３号公報（第３頁〜第５頁、第１図〜第７図）
【特許文献２】特開２００３−３４８６８２公報（第３頁〜第４頁、第１図〜第２図）
【発明の開示】
【発明が解決しようとする課題】
【０００６】
従来のオーディオ装置は、以上のように構成されているので、予め設定音量レベルを記憶しておき、音量レベル検出回路で検出された音量レベルと設定音量レベルとを逐次比較して音量調整回路を制御しなければならず、そのため、音量調整に当って、制御系における負荷が増大してしまうばかりでなく、ユーザが予め設定音量レベルを設定しなければならず、音響源が多いとその設定が極めて煩わしいという課題があった。
【０００７】
さらに、従来のオーディオ装置においては、信号レベル検出手段で検出した信号レベルと記憶手段から読み出した信号レベルとを比較し、その比較結果に応じて音響源の切替前後におけるスピーカ出力が略同等となるように可変利得手段の利得を制御しているものの、やはり、逐次信号レベル検出手段で検出した信号レベルと記憶手段から読み出した信号レベルとを比較する必要があり、音量調整に当って、制御系における負荷が増大してしまうという課題があった。
【０００８】
この発明は、上記のような課題を解決するためになされたもので、複数の音響源を備えて、複数の音響源から選択的に音響を再生する際、ユーザにとって極めて簡単に音量調整を行うことのできるオーディオ装置を得ることを目的とする。
【課題を解決するための手段】
【０００９】
この発明に係るオーディオ装置は、互いに異なる音響信号を出力する複数の音響源と、この音響源から出力される音響信号の利得を調整して出力する利得調整手段と、音響源に対応して利得調整手段に設定する利得が内部ゲインとして保存された記憶手段と、音響源の一つを選択する選択手段とを備え、ゲイン設定手段は選択手段によって選択された音響源に対応する内部ゲインを記憶手段から読み出して前記利得調整手段に設定するものである。
【発明の効果】
【００１０】
以上のように、この発明は、音響源に対応付けて利得調整手段に設定する利得を内部ゲインとして保存しておき、選択手段によって音響源が選択されると、当該選択された音響源に対応する内部ゲインを利得調整手段に設定するように構成したので、選択手段によって音響源を選択すれば、自動的に利得が音響源に合ったものに調整される結果、ユーザにとって極めて簡単に音量調整（利得調整）を行うことことができるという効果がある。
【発明を実施するための最良の形態】
【００１１】
実施の形態１．
図１は、この発明の実施の形態１におけるオーディオ装置の一例を示すブロック図であり、図示のオーディオ装置１０は、例えば、車両に搭載されている。オーディオ装置１０はオーディオセット部１１を有しており、このオーディオセット部１１には複数の音響源（オーディオソース）１２ａ〜１２ｃを有するとともに、スピーカ１３が接続されている。
【００１２】
図示の例では、オーディオソース１２ａはラジオ受信機、オーディオソース１２ｂはＣＤプレーヤ、オーディオソース１２ｃはカセットテーププレーヤである。これらオーディオソース１２ａ〜１２ｃはアナログスイッチ部（ＳＷ）１４を介してオーディオ処理部１５に接続されており、後述するように、オーディオ処理部１５はＳＷ１４を介して入力された入力信号（オーディオ信号）を処理して処理済信号として出力する。そして、この処理済信号は電力増幅器（パワーアンプ）１６で増幅されてスピーカ１３から音響として出力されることになる。
【００１３】
図１に示す例では、オーディオ処理部１５は、Ａ／Ｄコンバータ１５ａ、デシメーションフィルタ１５ｂ、ＤＣフィルタ１５ｃ、係数器（ゲイン可変器：利得調整手段）１５ｄ、信号処理部１５ｅ、Ｄ／Ａコンバータ１５ｆ、レベル検出器（レベル検知手段）１５ｇ、ＣＰＵ１５ｈ、及び不揮発性メモリ（記憶手段）１５ｉを有しており、ＳＷ１４はスイッチ切替部１７の操作に応じて選択的にオーディオソース１２ａ〜１２ｃの一つとＡ／Ｄコンバータ１５ａとを接続する（ＳＷ１４とスイッチ切替部１７とが選択手段として機能する）。Ａ／Ｄコンバータ１５ａではＳＷ１４を介して与えられたオーディオ信号をデジタル信号に変換し、デシメーションフィルタ１５ｂによってデジタル信号から不要なデータが間引かれ、ＤＣフィルタ１５ｃによってＡ／Ｄコンバータ１５ａにおけるＤＣオフセットが取り除かれる。
【００１４】
ＤＣコンバータ１５ｃの出力信号は係数器１５ｄで後述するようにしてゲイン調整された後、信号処理部１５ｅで、例えば、ボリューム・トーンコントロール・ラウドネス等の処理を受けて、Ｄ／Ａコンバータ１５ｆでアナログ音響信号に変換されて出力される。係数器１５ｄの出力はレベル検出器１５ｇに与えられ、ここで音量レベルが測定される。そして、この音量レベルはＣＰＵ１５ｈに与えられる。ＣＰＵ１５ｈは、後述するようにして、オーディオソース毎の音量レベルに応じて、係数器１５ｄに設定する係数を求めて、これら係数を設定係数として不揮発性メモリ１５ｉに格納し、これら設定係数に応じて係数器１５ｄを制御する。なお、上述のオーディオ処理部１５は、例えば、ＤＳＰ（デジタルシグナルプロセッサ：Ｄｉｇｉｔａｌ  Ｓｉｇｎａｌ  Ｐｒｏｃｅｓｓｏｒ）で構成される。
【００１５】
次に動作について説明する。
図１を参照して、いま、Ａ／Ｄコンバータ１５ａ、デシメーションフィルタ１５ｂ、ＤＣフィルタ１５ｃ、及び係数器１５ｄで規定されるゲインを内部ゲインＧａｂ（ａ，ｂは０以上の数）と呼び、この内部ゲインＧａｂはオーディオソースによって変化する。一方、信号処理部１５ｅ、Ｄ／Ａコンバータ１５ｆ、及びパワーアンプ１６で規定されるゲインを固定ゲインＧｆｉｘと呼び、この固定ゲインＧｆｉｘはオーディオソースによって変化しない。オーディオセット部１１におけるゲイン、つまり、オーディオ装置１０における（総合ゲイン）は、Ｇａｂ×Ｇｆｉｘであり、この総合ゲインはオーディオソース毎に予め規定されている。
【００１６】
ところで、オーディオ装置１０の製造工程において、オーディオセット部１１に実際に組み込むオーディオソース１２ａ〜１２ｃは、不可避的に個体差があるため、オーディオソース１２ａ〜１２ｃ毎に予め規定された出力基準値と実際に組み込んだオーディオソース１２ａ〜１２ｃの出力値（出力レベル）とは異なることが多い（つまり、バラツキがある）。このようなバラツキがあると、ユーザがオーディオ装置１０を用いた際、オーディオソース１２ａ〜１２ｃ毎に所望の音量レベルがスピーカ１３から得られないという事態が発生する。
【００１７】
そこで、ここでは、例えば、製造工程においてオーディオソース毎のバラツキを考慮して、オーディオソース毎に係数器１５ｄに設定する係数を不揮発性メモリ１５ｉに記憶する。図２及び図３も参照して、いま、オーディオソース１２ａ〜１２ｃの基準正弦波信号再生時の出力基準値（基準レベル）をそれぞれＸ１０、Ｘ２０、及びＸ３０であるとする。また、基準レベルＸ１０、Ｘ２０、及びＸ３０に対する内部ゲインがそれぞれＧ１０、Ｇ２０、Ｇ３０であるとする。
【００１８】
そして、基準レベルＸ１０、Ｘ２０、及びＸ３０をアナログスイッチ部１４を介し、オーディオ処理部１５に与えた際の係数器１５ｄからの出力レベル（所望出力レベル）をＹ０、ｐ・Ｙ０、及びｑ・Ｙ０であるとする（ｐ及びｑはゼロ以上の実数）。これら内部ゲインＧ１０、Ｇ２０、及びＧ３０と所望出力レベルＹ０、ｐ・Ｙ０、及びｑ・Ｙ０は、例えば、予め不揮発性メモリ１５ｉに設定されている（ステップＳＴ１）。
【００１９】
ここで、オーディオセット部１１内のオーディオソース１２ａ〜１２ｃはその出力レベルが未知数であるから、まず、スイッチ切替部１７でオーディオソース１２ａを選択すると、ＳＷ１４によってオーディオ処理部１５とオーディオソース１２ａが接続されて、オーディオソース１２ａからオーディオ信号がオーディオ処理部１５に入力される。この際、スイッチ切替部１７からはＣＰＵ１５ｈにオーディオソース１２ａを選択した旨を示すオーディオ選択信号が与えられる。
【００２０】
前述したように、係数器１５ｄの出力信号はレベル検出器１５ｇに与えられ、ここで出力レベルが検出される。いま、出力レベルがＹ１であるとする（ステップＳＴ２）。ＣＰＵ１５ｈはオーディオ選択信号によってオーディオソース１２ａが選択されていることを知り、不揮発性メモリ１５ｉをアクセスして、オーディオソース１２ａに対応する内部ゲインＧ１０及び所望出力レベルＹ０を読み出して、出力レベルＹ１を所望出力レベルＹ０とするための係数（内部ゲイン）Ｇ１を求める。
【００２１】
図３に示すように、オーディオソース１２ａの出力レベルがＸ１であるとすると（図３においては、便宜上係数器１５ｄの入力レベルがＸ１で表されている）、内部ゲインＧ１０＝Ｙ０／Ｘ１０であり、Ｘ１×Ｇ１０＝Ｙ１である。また、Ｘ１×Ｇ１＝Ｙ０であるから、Ｇ１＝（Ｙ０／Ｙ１）×Ｇ１０となる。つまり、ＣＰＵ１５ｈは出力レベルＹ１を所望出力レベルＹ０とするための内部ゲインＧ１＝（Ｙ０／Ｙ１）×Ｇ１０によって求める（ステップＳＴ３）。
【００２２】
同様にして、スイッチ切替部１７でオーディオソース１２ｂを選択すると、ＳＷ１４によってオーディオ処理部１５とオーディオソース１２ｂが接続されて、オーディオソース１２ｂからオーディオ信号がオーディオ処理部１５に入力される。この際には、スイッチ切替部１７からＣＰＵ１５ｈにオーディオソース１２ｂを選択した旨を示すオーディオ選択信号が与えられる。
【００２３】
いま、レベル検出器１５ｇで検出された出力レベルがＹ２であるとする（ステップＳＴ４）。ＣＰＵ１５ｈはオーディオ選択信号によってオーディオソース１２ｂが選択されていることを知り、不揮発性メモリ１５ｉをアクセスして、オーディオソース１２ｂに対応する内部ゲインＧ２０及び所望出力レベルｐ・Ｙ０を読み出して、出力レベルＹ２を所望出力レベルＹ０とするための内部ゲインＧ２を求める。つまり、ＣＰＵ１５ｈは出力レベルＹ２を所望出力レベルＹ０とするための内部ゲインＧ２＝（ｐ・Ｙ０／Ｙ２）×Ｇ２０によって求める（ステップＳＴ５）。
【００２４】
さらに、スイッチ切替部１７でオーディオソース１２ｃを選択すると、ＳＷ１４によってオーディオ処理部１５とオーディオソース１２ｃが接続されて、オーディオソース１２ｃからオーディオ信号がオーディオ処理部１５に入力される。この際には、スイッチ切替部１７からＣＰＵ１５ｈにオーディオソース１２ｃを選択した旨を示すオーディオ選択信号が与えられる。いま、レベル検出器１５ｇで検出された出力レベルがＹ３であるとする（ステップＳＴ６）。
【００２５】
ＣＰＵ１５ｈはオーディオ選択信号によってオーディオソース１２ｃが選択されていることを知り、不揮発性メモリ１５ｉをアクセスして、オーディオソース１２ｃに対応する内部ゲインＧ３０及び所望出力レベルｑ・Ｙ０を読み出して、出力レベルＹ３を所望出力レベルＹ０とするための内部ゲインＧ３を求める。つまり、ＣＰＵ１５ｈは出力レベルＹ３を所望出力レベルＹ０とするための内部ゲインＧ３＝（ｑ・Ｙ０／Ｙ３）×Ｇ３０によって求める（ステップＳＴ７）。
【００２６】
このようにして、ＣＰＵ１５ｈはオーディオソース１２ａ〜１２ｃに対応する内部ゲインＧ１〜Ｇ３を求めて、これら内部ゲインＧ１〜Ｇ３を不揮発性メモリ１５ｉに保存する（ステップＳＴ８）。この際には、予め不揮発性メモリ１５ｉに記憶された内部ゲインＧ１０、Ｇ２０、及びＧ３０と所望出力レベルＹ０、ｐ・Ｙ０、及びｑ・Ｙ０は消去される。
【００２７】
上述のようにして、内部ゲインＧ１〜Ｇ３を不揮発性メモリ１５ｉに保存した後、オーディオ装置は出荷されることになるが、ユーザがオーディオ装置１０を用いてオーディオソース１２ａからの音響信号を視聴する際、スイッチ切替部１７を操作してＳＷ１４によってオーディオソース１２ａとオーディオ処理部１５とを接続すると、ＣＰＵ１５ｈはオーディオ選択信号によってオーディオソース１２ａが選択されたことを知り、内部ゲインＧ１を係数器１５ｄに設定する。
【００２８】
同様にして、ユーザがスイッチ切替部１７によってオーディオソース１２ｂを選択すると、ＣＰＵ１５ｈは内部ゲインＧ２を係数器１５ｄに設定する。また、ユーザがスイッチ切替部１７によってオーディオソース１２ｃを選択すると、ＣＰＵ１５ｈは内部ゲインＧ３を係数器１５ｄに設定する。なお、上述の説明から明らかなように、ＣＰＵ１５ｈがゲイン設定手段及びゲイン保存手段として機能することになる。
【００２９】
以上のように、この実施の形態１よれば、予めオーディオソース１２ａ〜１２ｃ毎に内部ゲインを不揮発性メモリ１５ｉに保存しておき、スイッチ切替部１７でオーディオソースが選択されると、この選択されたオーディオソースに対応する内部ゲインを不揮発性メモリ１５ｉから読み出して、係数器１５ｄに設定するように構成したので、自動的に内部ゲインが音響源に合ったものに調整される結果、ユーザにとって極めて簡単に音量調整（ゲイン調整）を行うことことができるという効果がある。
【００３０】
この実施の形態１によれば、オーディオソース１２ａ〜１２ｃ毎に予め基準となる内部ゲインを基準内部ゲインとして定めるとともに係数器１５ｉからの出力レベルを所望出力レベルとして定めて、オーディオソース毎にレベル検出器１５ｇによって検出された出力レベルと基準内部ゲイン及び所望出力レベルとに応じて内部ゲインを求めて、この内部ゲインを不揮発性メモリ１５ｉに保存するように構成したので、オーディオ装置毎にその組み込まれるオーディオソース１２ａ〜１２ｃにバラツキがあっても、そのバラツキを考慮して内部ゲインが不揮発性メモリ１５ｉに保存される結果、いずれのオーディオ装置においてもオーディオソース毎に常に所望の出力レベルが得られるという効果がある。
【００３１】
実施の形態２．
図１を参照して、ここでは、一つのオーディオソースからの音響信号を視聴している際、別のオーディオソースに切り替えた際の出力レベル調整について説明する。なお、実施の形態２においては、ＣＰＵの機能が実施の形態１とは異なるが、説明の便宜上同一の参照符号を付しており、さらに、不揮発性メモリ１５ｉにはオーディオソース１２ａ、１２ｂ、及び１２ｃに対応付けてそれぞれ内部ゲインが保存されているものとする。
【００３２】
図４及び図５も参照して、図４に示すように、ＣＰＵ１５ｈはタイマー２１、平均化部（平均化手段）２２、演算部（演算手段）２３、係数決定部（ゲイン決定手段）２４、除算部２５、及び逓増部（ゲイン設定変化手段）２６を有しており、いま、オーディオソース１２ａ〜１２ｃの一つから出力されるオーディオ信号を視聴している際（例えば、オーディオソース１２ａから出力されるオーディオ信号を視聴しているとする）、内部ゲインがＧＡＶ１であるとして、ユーザはこの内部ゲインＧＡＶ１に応じた音量レベルで再生視聴しているものとする（ステップＳＴ９）。
【００３３】
この際には、係数器１５ｄからの出力信号がレベル検出器１５ｇに与えられてここで出力レベル（つまり、第１の出力レベル）が検出されることになる。ＣＰＵ１５ｈではレベル検出器１５ｇから出力レベルを受けると、タイマー２１を起動して、予め設定された時間をカウントする。平均化部２２ではタイマー２１の起動からタイムアップまでの出力レベルの時間平均値を求めて、この時間平均値を測定値ＹＡＶ１とする（ステップＳＴ１０）。
【００３４】
ここで、ユーザが、例えば、オーディオソースをオーディオソース１２ａからオーディオソース１２ｂに切り替えたとすると、ＣＰＵ１５ｈはオーディオソース１２ｂに対応する内部ゲイン（ＧＡＶ２とする）を係数器１５ｄに設定することになる（内部ゲインの切替：ステップＳＴ１１）。そして、オーディオソース１２ａからオーディオソース１２ｂに切り替わると、タイマー２１が起動されて、予め設定された時間をカウントする。平均化部２２ではタイマー２１の起動からタイムアップまでの係数器１５ｄの出力レベル（つまり、第２の出力レベル）の時間平均値を求めて、この時間平均値を測定値ＹＡＶ２とする（ステップＳＴ１２）。
【００３５】
そして、ＣＰＵ１５ｈでは演算部２３によって最適内部ゲインＧＡＶ３を求める（ステップＳＴ１３）。つまり、演算部２３はＧＡＶ３＝（ＹＡＶ１／ＹＡＶ２）×ＧＡＶ２を求め、この最適内部ゲインＧＡＶ３を不揮発性メモリ１５ｉに格納する。続いて、係数決定部２４は出力レベルＹＡＶ２と出力レベルＹＡＶ１とを比較して、その偏差（絶対値）が予め設定された閾値レベルを越えていると、言い換えると偏差が大きいと（ＹＡＶ２＞＞ＹＡＶ１又はＹＡＶ２＜＜ＹＡＶ１：ステップＳＴ１４）、係数決定部２４は内部ゲインを最適内部ゲインＧＡＶ３に決定する（ステップＳＴ１５）。一方、偏差が予め設定された閾値レベル以下であると、係数決定部２４は内部ゲインをＧＡＶ２とままとする（現状のままとする：ステップＳＴ１６）。
【００３６】
内部ゲインを内部ゲインＧＡＶ２から最適内部ゲインＧＡＶ３に変更する際には、内部ゲインの急激な変化による違和感を防止するため、除算部２５では（ＧＡＶ３−ＧＡＶ２）を予め設定された数で除算して得られた商を求める。例えば、ＧＡＶ３−ＧＡＶ２＝６ｄＢ（絶対値）であるとし、予め設定された数が１０であるとすると、除算部２５では、６／１０＝０．６ｄＢとして、この商を逓増部２６に渡す。そして、逓増部２６では、所定の時間（例えば、１秒）毎に商（０．６ｄＢ）ずつ係数器１５ｄに設定する内部ゲインを増加させる。つまり、ＣＰＵ１５ｈはＧＡＶ２からＧＡＶ３へと徐々に内部ゲインを変更することになる（ステップＳＴ１７）。
【００３７】
以上のように、この実施の形態２によれば、オーディオソース１２ａ〜１２ｃの一つが選択オーディオソースとして選択されている際、スイッチ切替部１７によって選択オーディオソース以外の別のオーディオソースが選択されると、選択オーディオソースに係る出力レベル（第１の出力レベル）及び別のオーディオソースに係る出力レベル（第２の出力レベル）と別のオーディオソースに対応する内部ゲインとに応じて最適内部ゲインを求めて、第１及び第２の出力レベルの偏差が予め規定された閾値を越えた際、最適内部ゲインを選択して別のオーディオソースに対応する内部ゲインの代わりとするように構成したので、オーディオソースが切り替えられた際、前のオーディオソース（選択オーディオソース）に係る出力レベルと切替後のオーディオソース（別のオーディオソース）に係る出力レベルとを考慮して、内部ゲインが決定されることになって、ユーザにとってソースを切り替えた際の音量変化による違和感が少ないという効果がある。
【００３８】
この実施の形態２によれば、オーディオソースを切り替えた際、切り替え後のオーディオソースに対応する内部ゲインを最適内部ゲインに変更する場合に、最適内部ゲインとオーディオソースに対応する内部ゲインとの差を予め設定された数値で除算して得られた商ずつ所定の時間間隔で係数器１５ｄに設定する内部ゲインを変化させるように構成したので、内部ゲインの急減な変化に起因する違和感を軽減できるという効果がある。
【図面の簡単な説明】
【００３９】
【図１】この発明の実施の形態１によるオーディオ装置の一例を示すブロック図である。
【図２】この発明の実施の形態１によるオーディオ装置の動作を説明するためのフローチャートである。
【図３】図１に示すＣＰＵの動作を説明するためのブロック図である。
【図４】この発明の実施の形態２によるオーディオ装置におけるＣＰＵの機能ブロックを示す図である。
【図５】この発明の実施の形態２によるオーディオ装置の動作を説明するためのフローチャートである。
【符号の説明】
【００４０】
１０  オーディオ装置、１１  オーディオセット部、１２ａ〜１２ｃ  音響源（オーディオソース）、１３  スピーカ、１４  アナログスイッチ部（ＳＷ）、１５  オーディオ処理部、１５ａ  Ａ／Ｄコンバータ、１５ｂ  デシメーションフィルタ、１５ｃ  ＤＣフィルタ、１５ｄ  係数器（ゲイン可変器）、１５ｅ  信号処理部、１５ｆ  Ｄ／Ａコンバータ、１５ｇ  レベル検出器、１５ｈ  ＣＰＵ、１５ｉ  不揮発性メモリ、１６  電力増幅器（パワーアンプ）、１７  スイッチ切替部、２１  タイマー、２２  平均化部、２３  演算部、２４  係数決定部、２５  除算部、２６  逓増部。
【図１】
2006074598.tif 000003
【図２】
2006074598.tif 000004
【図３】
2006074598.tif 000005
【図４】
2006074598.tif 000006
【図５】
2006074598.tif 000007